(57)【特許請求の範囲】
【請求項１】
電動工具に対して着脱可能な電池パックであって、
バッテリセルを収容するケースと、
前記ケースに揺動可能に支持された係合部材と、
前記係合部材の所定方向への揺動を規制する規制部材と、
を備え、
前記係合部材は、電動工具に対して係合可能に突出したストッパ部と、前記電池パックを電動工具に対して取り付け方向にスライドさせたときに前記ストッパ部を退避方向へ揺動させるための第１の支点と、前記電池パックを電動工具に対して取り外し方向にスライドさせたときに前記ストッパ部を退避方向へ揺動させるための第２の支点と、を備え、
前記規制部材は、前記係合部材が前記第２の支点を使用して揺動することを規制するとともに、所定の操作がされたときに前記規制を解除することを特徴とする、電池パック。
【請求項２】
前記所定の操作を可能とするための操作部を前記電池パックの表面に設けたことを特徴とする、請求項１記載の電池パック。
【請求項３】
前記操作部は、前記電池パックを前記電動工具に着脱するときのスライド方向に沿って設けられた両側面に配設されて、前記電池パック内方へ押し込み操作可能に設けられていることを特徴とする、請求項２記載の電池パック。
【請求項４】
前記操作部は、前記電池パックを前記電動工具に着脱するときのスライド方向と直交するように設けられた前面に配設されていることを特徴とする、請求項２記載の電池パック。
【発明の詳細な説明】
【技術分野】
【０００１】
この発明は、電動工具に対して着脱可能な電池パックに関し、特に、着脱方法に特徴を有する電池パックに関する。
【背景技術】
【０００２】
従来のバッテリパックの取り付け構造として、例えば特許文献１に示されるように、バッテリを収容したケースに、係止フックと、この係止フックに連動する係止解除ボタンとを設け、係止解除ボタンをケースの内側に押し込み操作したときに係止フックが係止解除方向に移動するように連動させたものが知られている。このような方法によれば、簡単な操作で対象機器に対して確実に電池パックを着脱することができる。
【先行技術文献】
【特許文献】
【０００３】
【特許文献１】特開２００８−１０３１４４号公報
【発明の概要】
【発明が解決しようとする課題】
【０００４】
ところで、電動工具は粉塵等が発生する作業現場において使用されるため、電池パック内に粉塵等が浸入することは避けられない。特許文献１記載の構造において電池パック内に粉塵が侵入すると、係止フックの摺動面に粉塵が入り込み、摺動面が荒れて摩擦抵抗が増加するおそれがあった。摩擦抵抗が増加すると、操作荷重が増大して操作性が悪くなり、最悪の場合は操作ができなくなる可能性がある。
【０００５】
また、特許文献１記載の構造では、バッテリセルの前方に、係止フックが上下方向に移動するためのスペースや、係止フックを突出方向へ付勢するためのバネを配置するための大きなスペースが必要となるため、電池パックのサイズが大きくなるという問題があった。
そこで、本発明は、粉塵が入り込んだ場合でも操作荷重の増大を抑制でき、サイズの小型化を実現できる電池パックを提供することを課題とする。
【課題を解決するための手段】
【０００６】
本発明は、上記した課題を解決するためになされたものであり、以下を特徴とする。
【０００７】
請求項１記載の発明は、電動工具に対して着脱可能な電池パックであって、バッテリセルを収容するケースと、前記ケースに揺動可能に支持された係合部材と、前記係合部材の所定方向への揺動を規制する規制部材と、を備え、前記係合部材は、電動工具に対して係合可能に突出したストッパ部と、前記電池パックを電動工具に対して取り付け方向にスライドさせたときに前記ストッパ部を退避方向へ揺動させるための第１の支点と、前記電池パックを電動工具に対して取り外し方向にスライドさせたときに前記ストッパ部を退避方向へ揺動させるための第２の支点と、を備え、前記規制部材は、前記係合部材が前記第２の支点を使用して揺動することを規制するとともに、所定の操作がされたときに前記規制を解除することを特徴とする。
【０００８】
請求項２に記載の発明は、上記した請求項１に記載の発明の特徴点に加え、前記所定の操作を可能とするための操作部を前記電池パックの表面に設けたことを特徴とする。
【０００９】
請求項３に記載の発明は、上記した請求項２に記載の発明の特徴点に加え、前記操作部は、前記電池パックを前記電動工具に着脱するときのスライド方向に沿って設けられた両側面に配設されて、前記電池パック内方へ押し込み操作可能に設けられていることを特徴とする。
【００１０】
請求項４に記載の発明は、上記した請求項２に記載の発明の特徴点に加え、前記操作部は、前記電池パックを前記電動工具に着脱するときのスライド方向と直交するように設けられた前面に配設されていることを特徴とする。
【発明の効果】
【００１１】
請求項１に記載の発明は上記の通りであり、係合部材は、電動工具に対して係合可能に突出したストッパ部と、電池パックを電動工具に対して取り付け方向にスライドさせたときにストッパ部を退避方向へ揺動させるための第１の支点と、電池パックを電動工具に対して取り外し方向にスライドさせたときにストッパ部を退避方向へ揺動させるための第２の支点と、を備え、規制部材は、係合部材が第２の支点を使用して揺動することを規制するとともに、所定の操作がされたときに前記規制を解除する。このような構成によれば、電池パックを取り付けるときには、電池パックを取り付け方向にスライドさせることで係合部材が第１の支点を中心に揺動し、ストッパ部が退避方向に移動する。取り付け位置まで電池パックをスライドさせると、ストッパ部が電動工具の取付面に係合し、電池パックの取り付けが完了する。この状態で電池パックに意図せず取り外し方向の力が加わっても、規制部材によって第２の支点を使用した係合部材の揺動が規制されているため、ストッパ部が外れることはなく、電池パックが電動工具から脱落することはない。電池パックを取り外すときには、所定の操作によって規制部材の規制を解除し、電池パックを取り外し方向にスライドさせれば、係合部材が第２の支点を中心に揺動し、ストッパ部が退避方向に移動するので、電池パックを取り外すことができる。
【００１２】
本発明においては、電池パックを取り外すときの操作は、規制部材の規制を解除するという間接的な動作であり、係合部材を直接的に移動させる動作ではない。よって、係合部材を直接的に移動させるような従来の構造と比較して、操作荷重を小さく設定できる。また、粉塵が入り込んだ場合でも操作荷重の増大を抑制できる。
【００１３】
更には、係止部材を上下方向に移動させるためのスペースや、係止部材を突出方向へ付勢するためのバネを配置するためのスペースが小さくてすむので、電池パックのサイズを小型化することができる。
【００１４】
また、請求項２に記載の発明は上記の通りであり、前記所定の操作を可能とするための操作部を前記電池パックの表面に設けた。このような構成によれば、操作部を片手でつかむような動作で操作できるので、電池パックの取り外しの際に力を入れやすく、操作性が良い。
【００１５】
また、請求項３に記載の発明は上記の通りであり、前記操作部は、前記電池パックを前記電動工具に着脱するときのスライド方向に沿って設けられた両側面に配設されて、前記電池パック内方へ押し込み操作可能に設けられている。このような構成によれば、操作部を両側から挟み込むような動作で操作できるので、電池パックの取り外しの際に力を入れやすく、操作性が良い。
【００１６】
また、請求項４に記載の発明は上記の通りであり、前記操作部は、前記電池パックを前記電動工具に着脱するときのスライド方向と直交するように設けられた前面に配設されている。このような構成によれば、操作部を親指等で操作できるので、電池パックの取り外しの際に力を入れやすく、操作性が良い。
【図面の簡単な説明】
【００１７】
【図１】電動工具及び電池パックの外観斜視図である。
【図２】電池パックの外観斜視図である。
【図３】電池パックの（ａ）平面図、（ｂ）側面図である。
【図４】電池パックの分解斜視図である。
【図５】係合部材の（ａ）平面図、（ｂ）側面図、（ｃ）底面図である。
【図６】規制部材（左）の（ａ）平面図、（ｂ）側面図、（ｃ）底面図である。
【図７】電池パックを電動工具に取り付けたときのＡ−Ａ線断面図である。
【図８】電池パックを電動工具に取り付けたときの係合部材及び規制部材の状態を示す図であって、（ａ）上ケースの裏側から見た底面図、（ｂ）上ケースの裏側から見た斜視図である。
【図９】電池パックを電動工具に取り付けようとしたときのＡ−Ａ線断面図である。
【図１０】電池パックを電動工具に取り付けようとしたときの係合部材及び規制部材の状態を示す図であって、（ａ）上ケースの裏側から見た底面図、（ｂ）上ケースの裏側から見た斜視図である。
【図１１】電池パックを電動工具から取り外そうとしたときのＡ−Ａ線断面図である。
【図１２】電池パックを電動工具から取り外そうとしたときの係合部材及び規制部材の状態を示す図であって、（ａ）上ケースの裏側から見た底面図、（ｂ）上ケースの裏側から見た斜視図である。
【図１３】変形例に係る電池パックの外観斜視図である。
【図１４】変形例に係る電池パックの分解斜視図である。
【図１５】変形例に係る電池パックを電動工具に取り付けようとしたときの係合部材及び規制部材の状態を示す図であって、（ａ）上ケースの裏側から見た底面図、（ｂ）上ケースの裏側から見た斜視図である。
【図１６】変形例に係る電池パックを電動工具から取り外そうとしたときの係合部材及び規制部材の状態を示す図であって、（ａ）上ケースの裏側から見た底面図、（ｂ）上ケースの裏側から見た斜視図である。
【発明を実施するための形態】
【００１８】
本発明の実施形態について、図を参照しながら説明する。
【００１９】
本実施形態に係る電池パック１０は、電動工具４０の動力源としての使用可能なものであって、二次電池を内蔵して充放電可能に形成されている。この電池パック１０は、図１に示すように、電動工具４０に対して着脱可能となっており、電動工具４０の動力源としての使用するときには、電動工具４０に取り付けて使用する。この電池パック１０は、上面が電動工具４０への取り付け面となっている。電池パック１０の取り付け面には、図２に示すように、端子部１０ａが設けられている。電動工具４０に電池パック１０を取り付けると、この端子部１０ａが電動工具４０の端子と電気的に接続され、電動工具４０に対して放電可能となる。なお、この電池パック１０は、充電器に取り付けて充電可能である。充電器に電池パック１０を取り付けると、端子部１０ａが充電器の端子と電気的に接続され、充電器を使用して充電可能となる。
【００２０】
本実施形態に係る電動工具４０は、図１に示すように、グリップの下端部に電池パック１０を取り付けるための装着部４１が形成されている。この装着部４１には、図１に示すように、両側にレール係合部４１ｃが設けられている。レール係合部４１ｃは、後述する電池パック１０のガイドレール部１０ｂを覆うように設けられており、内側にガイドレール部１０ｂに係合する突条が形成されている。
【００２１】
また、この装着部４１の下面には、電池パック１０を係止するための凹部４１ａが凹設されている。凹部４１ａは、図７等に示すように、断面略逆Ｖ字状の窪みであり、装着部４１の前端部４１ｂ側の面は、電池パック１０の取り付け方向（スライド方向）に対して略垂直となっている。また、この凹部４１ａの反前端部４１ｂ側の面は、電池パック１０の取り付け方向（スライド方向）に対して傾斜している。
【００２２】
一方、本実施形態に係る電池パック１０は、図２〜４に示すように、ケース１１と、ケース１１に収容された複数のバッテリセル１８と、バッテリセル１８の充放電を制御するための制御基板１７と、ケース１１に揺動可能に支持された係合部材１２と、係合部材１２の所定方向への揺動を規制する規制部材１３と、を備える。
【００２３】
ケース１１は、図２等に示すような箱体であり、上ケース１１ａと下ケース１１ｂとを上下に接合することで形成されている。上ケース１１ａの側部には、一対のガイドレール部１０ｂが設けられている。このガイドレール部１０ｂは、電池パック１０を電動工具４０の装着部４１に対してスライドさせるときのガイドとなるものである。すなわち、ガイドレール部１０ｂは、装着部４１のレール係合部４１ｃの裏側に形成された突条に係合することで、電池パック１０を装着部４１に対してスライド可能に案内するようになっている。
【００２４】
また、ケース１１の上面には、後述するストッパ部１２ａを出没可能に突出させるためのストッパ用開口１０ｃが形成されている。更に、ケース１１の両側面（電池パック１０を電動工具４０に着脱するときのスライド方向に沿って設けられた両側面）には、後述する操作部１３ａを操作可能に露出させるための操作部用開口１０ｄが形成されている。
【００２５】
バッテリセル１８は、電池パック１０を構成する二次電池であり、本実施形態においては、図４に示すように、並べて配置した複数のバッテリセル１８を接続して使用している。隣り合うバッテリセル１８の電極は、リード板１９によって電気的に接続されている。
【００２６】
制御基板１７は、電池パック１０の充放電を制御するための回路等を実装した基板であり、図４に示すように、バッテリセル１８の上方に配置される。この制御基板１７は、上面が上ケース１１ａの天面に臨むように配置されている。この制御基板１７の上面には、充放電端子１６が設けられている。充放電端子１６は、バッテリセル１８を外部機器（電動工具４０や充電器）と電気的に接続し、充放電を可能とするための端子である。この充放電端子１６は、電池パック１０の端子部１０ａの裏側に配置されている。
【００２７】
係合部材１２は、図５に示すように、上方に向けて突出したストッパ部１２ａと、ストッパ部１２ａの前方に設けられた前軸部１２ｄと、ストッパ部１２ａの後方に設けられた後軸部１２ｅと、を備える。
【００２８】
ストッパ部１２ａは、電動工具４０の凹部４１ａに係合する部位である。このストッパ部１２ａは、図２に示すように、係合部材１２をケース１１に取り付けたときに、凹部４１ａに対して係合可能となるようにストッパ用開口１０ｃから突出している。このストッパ部１２ａは、図５（ｂ）に示すように、略垂直に形成された垂直面１２ｂと、傾斜して形成された傾斜面１２ｃと、によって断面略逆Ｖ字形に形成されている。垂直面１２ｂは、電池パック１０を装着部４１から取り外すときの進行方向前側に配置されており、ストッパ部１２ａが凹部４１ａに係合したときに凹部４１ａの垂直な面に向かい合うように形成されている。また、傾斜面１２ｃは、電池パック１０を装着部４１に取り付けるときの進行方向前側に配置されており、ストッパ部１２ａが凹部４１ａに係合したときに凹部４１ａの傾斜した面に向かい合うように形成されている。
【００２９】
前軸部１２ｄは、ケース１１の内部において揺動軸となるように支持されている。この前軸部１２ｄは、電池パック１０を電動工具４０に対して取り外し方向にスライドさせたときにストッパ部１２ａを退避方向へ揺動させるための第２の支点として機能する。
【００３０】
後軸部１２ｅも、ケース１１の内部において揺動軸となるように支持されている。この後軸部１２ｅは、電池パック１０を電動工具４０に対して取り付け方向にスライドさせたときにストッパ部１２ａを退避方向へ揺動させるための第１の支点として機能する。
【００３１】
この係合部材１２は、図７等に示すように、ストッパ用バネ１４によって常に上方に付勢されている。このストッパ用バネ１４の付勢力により、外力が働いていないときには、ストッパ部１２ａがストッパ用開口１０ｃから突出するようになっている。一方、電池パック１０を電動工具４０に対して取り外し方向にスライドさせると、ストッパ部１２ａの垂直面１２ｂが凹部４１ａの垂直な面に押されて、係合部材１２がストッパ用バネ１４の付勢力に抗して前軸部１２ｄを支点として揺動可能となっている。また、電池パック１０を電動工具４０に対して取り付け方向にスライドさせると、ストッパ部１２ａの傾斜面１２ｃが装着部４１の前端部４１ｂに押されて、係合部材１２がストッパ用バネ１４の付勢力に抗して後軸部１２ｅを支点として揺動可能となっている。
【００３２】
規制部材１３は、図６に示すように、指当てを形成した操作部１３ａと、操作部１３ａから内方へ突出した当接部１３ｂと、当接部１３ｂを切欠いて形成した逃げ部１３ｃと、を備える。なお、図６に示す規制部材１３は、ケース１１の左側に取り付けられる規制部材１３である。ケース１１の右側には、この図６に示す規制部材１３を反転させた形状の規制部材１３が取り付けられる。このように、規制部材１３をケース１１の側面の両側に取り付けることで、操作部１３ａが電池パック１０の側面の両側に設けられている。
【００３３】
操作部１３ａは、規制部材１３をケース１１に取り付けたときに操作部用開口１０ｄから操作可能に露出する部位である。この操作部１３ａは、ケース１１の側面とほぼ面一となるように設けられている。
【００３４】
当接部１３ｂは、操作部１３ａの裏側に突出して設けられている。この当接部１３ｂは、ケース１１の内部において、係合部材１２の後軸部１２ｅの下部に配置される。これにより、後軸部１２ｅの移動を規制可能となっている。
逃げ部１３ｃは、当接部１３ｂに隣接して設けられている。この逃げ部１３ｃは、当接部１３ｂによる規制を解除するために設けられている。
【００３５】
この係合部材１２は、図８等に示すように、操作部用バネ１５によって常に側方（外側）に付勢されている。この操作部用バネ１５の付勢力により、外力が働いていないときには、一対の操作部１３ａが互いに離反する方向に押し出された状態となっている。このとき、当接部１３ｂの上面は、係合部材１２の後軸部１２ｅの下面に臨んでおり、後軸部１２ｅが下方へ移動できないように規制している。この状態では、後軸部１２ｅが下方へ移動できないため、係合部材１２が前軸部１２ｄ（第２の支点）を中心に揺動できないようになっている。
【００３６】
ここで、操作部１３ａは、操作部用バネ１５の付勢力に抗して内方へ押し込み操作可能となっている。操作部１３ａを奥まで押し込み操作すると、規制部材１３が移動することで、逃げ部１３ｃが係合部材１２の後軸部１２ｅの下面に臨むことになる。言い換えると、後軸部１２ｅが下方へ移動できないように規制していた当接部１３ｂが移動することで、規制が解除される。この状態では、後軸部１２ｅが下方へ移動可能となるため、係合部材１２が前軸部１２ｄ（第２の支点）を中心に揺動可能となる。
【００３７】
次に、電池パック１０の取付方法について説明する。電池パック１０を電動工具４０に取り付けるときには、ガイドレール部１０ｂに沿って装着部４１の前方から電池パック１０をスライドさせる。すると、図９に示すように、装着部４１の前端部４１ｂによってストッパ部１２ａの傾斜面１２ｃが押される。これにより、図９や図１０に示すように、係合部材１２がストッパ用バネ１４の付勢力に抗して後軸部１２ｅを支点として揺動し、ストッパ部１２ａが退避方向へと移動する。そして、電池パック１０を更にスライドさせて装着部４１の奥まで取り付けると、図７に示すように、ストッパ部１２ａが装着部４１の凹部４１ａに係合し、取り付けが完了する。このとき、ストッパ用バネ１４によってストッパ部１２ａが上方へ付勢されており、ストッパ部１２ａと凹部４１ａとが確実に係合する。
【００３８】
また、この電池パック１０を電動工具４０から取り外すときには、まず、操作部１３ａを両側から押し込み操作して、規制部材１３による規制を解除させる。すなわち、操作部１３ａを奥まで押し込むことで、係合部材１２の後軸部１２ｅの下面を逃げ部１３ｃに臨ませ、後軸部１２ｅが下方へ移動可能な状態とする。そして、操作部１３ａを操作したままで、装着時とは逆方向に電池パック１０をスライドさせる。すると、図１１に示すように、凹部４１ａの垂直な面によってストッパ部１２ａの垂直面１２ｂが押される。これにより、図１１に示すように、係合部材１２がストッパ用バネ１４の付勢力に抗して前軸部１２ｄを支点として揺動し、ストッパ部１２ａが退避方向へと移動する。このとき、後軸部１２ｅは、図１２に示すように、逃げ部１３ｃを利用して下方へと移動する。これにより、ストッパ部１２ａと装着部４１の凹部４１ａとの係合を解除して、電池パック１０を電動工具４０から取り外すことができる。
【００３９】
なお、操作部１３ａを操作せずに電池パック１０を電動工具４０から取り外そうとしても、電池パック１０を取り外すことはできない。操作部１３ａが操作されていない状態では、図７及び図８に示すように、規制部材１３の当接部１３ｂが、係合部材１２の後軸部１２ｅの下方への移動を規制しているため、前軸部１２ｄを支点として係合部材１２の後部を倒れ込ませるような移動ができないようになっている。
【００４０】
一方、操作部１３ａを操作した状態で電池パック１０を電動工具４０に取り付けることは可能である。このような操作をしたときに、係合部材が後軸部１２ｅを支点として揺動するのではなく、前軸部１２ｄを支点として揺動したり、後軸部１２ｅ及び前軸部１２ｄが下方に移動したりといった動きをしてもよい。
【００４１】
以上説明したように、本実施形態によれば、係合部材１２は、電動工具４０に対して係合可能に突出したストッパ部１２ａと、電池パック１０を電動工具４０に対して取り付け方向にスライドさせたときにストッパ部１２ａを退避方向へ揺動させるための後軸部１２ｅ（第１の支点）と、電池パック１０を電動工具４０に対して取り外し方向にスライドさせたときにストッパ部１２ａを退避方向へ揺動させるための前軸部１２ｄ（第２の支点）と、を備え、規制部材１３は、係合部材１２が第２の支点を使用して揺動することを規制するとともに、所定の操作がされたときに前記規制を解除する。このような構成によれば、電池パック１０を取り付けるときには、電池パック１０を取り付け方向にスライドさせることで係合部材１２が第１の支点を中心に揺動し、ストッパ部１２ａが退避方向に移動する。取り付け位置まで電池パック１０をスライドさせると、ストッパ部１２ａが電動工具４０の取付面に係合し、電池パック１０の取り付けが完了する。この状態で電池パック１０に意図せず取り外し方向の力が加わっても、規制部材１３によって第２の支点を使用した係合部材１２の揺動が規制されているため、ストッパ部１２ａが外れることはなく、電池パック１０が電動工具４０から脱落することはない。電池パック１０を取り外すときには、所定の操作によって規制部材１３の規制を解除し、電池パック１０を取り外し方向にスライドさせれば、係合部材１２が第２の支点を中心に揺動し、ストッパ部１２ａが退避方向に移動するので、電池パック１０を取り外すことができる。
【００４２】
なお、電池パック１０を取り外すときの操作は、規制部材１３の規制を解除するという間接的な動作であり、係合部材１２を直接的に移動させる動作ではない。よって、係合部材１２を直接的に移動させるような従来の構造と比較して、操作荷重を小さく設定できる。また、粉塵が入り込んだ場合でも操作荷重の増大を抑制できる。
【００４３】
更には、係止部材を上下方向に移動させるためのスペースや、係止部材を突出方向へ付勢するためのバネを配置するためのスペースが小さくてすむので、電池パック１０のサイズを小型化することができる。
【００４４】
また、操作部１３ａを電池パック１０の側面の両側に設けた。このような構成によれば、操作部１３ａを側面の両側から片手でつかむような動作で操作できるので、電池パック１０の取り外しの際に力を入れやすく、操作性が良い。
【００４５】
なお、上記した実施形態においては、規制部材１３によって後軸部１２ｅの下方への移動を規制するようにしたが、本発明の実施形態としてはこれに限らない。規制部材１３は、少なくとも係合部材１２が第２の支点を使用して揺動することを規制すればよい。例えば、規制部材１３が後軸部１２ｅ以外の箇所に係合するように形成し、このような係合により係合部材１２の揺動を規制するようにしてもよい。
【００４６】
（変形例）
図１３〜１６は本発明の変形例に係る図である。この変形例の基本的態様は上記した実施形態と同様であるが、ケース１１の前面（電池パック１０を電動工具４０に着脱するときのスライド方向と直交するように設けられた前面）に操作部用開口１０ｄを形成し、この前面に操作部１３ａを操作可能に露出させた点で上記した実施形態と相違点としている。
【００４７】
変形例に係る規制部材１３は、図１３及び図１４に示すように、指当てを形成した操作部１３ａと、操作部１３ａから内方へ突出した当接部１３ｂと、当接部１３ｂを切欠いて形成した逃げ部１３ｃと、を備える。この規制部材１３はケース１１の前面に取り付けられる。
【００４８】
操作部１３ａは、規制部材１３をケース１１に取り付けたときに操作部用開口１０ｄから操作可能に露出する部位である。この操作部１３ａは、ケース１１の前面とほぼ面一となるように設けられている。
【００４９】
当接部１３ｂは、操作部１３ａの裏側に突出して設けられている。この当接部１３ｂは、ケース１１の内部において、係合部材１２の後軸部１２ｅの下部に配置される。これにより、後軸部１２ｅの移動を規制可能となっている。
逃げ部１３ｃは、当接部１３ｂに隣接して設けられている。この逃げ部１３ｃは、当接部１３ｂによる規制を解除するために設けられている。
【００５０】
この係合部材１２は、図１５等に示すように、操作部用バネ１５によって常に前方（外側）に付勢されている。この操作部用バネ１５の付勢力により、外力が働いていないときには、操作部１３ａが前方に押し出された状態となっている。このとき、当接部１３ｂの上面は、係合部材１２の後軸部１２ｅの下面に臨んでおり、後軸部１２ｅが下方へ移動できないように規制している。この状態では、後軸部１２ｅが下方へ移動できないため、係合部材１２が前軸部１２ｄ（第２の支点）を中心に揺動できないようになっている。
【００５１】
ここで、操作部１３ａは、操作部用バネ１５の付勢力に抗して内方へ押し込み操作可能となっている。操作部１３ａを奥まで押し込み操作すると、規制部材１３が移動することで、逃げ部１３ｃが係合部材１２の後軸部１２ｅの下面に臨むことになる。言い換えると、後軸部１２ｅが下方へ移動できないように規制していた当接部１３ｂが移動することで、規制が解除される。この状態では、後軸部１２ｅが下方へ移動可能となるため、係合部材１２が前軸部１２ｄ（第２の支点）を中心に揺動可能となる。
【００５２】
次に、電池パック１０の取付方法について説明する。電池パック１０を電動工具４０に取り付けるときには、ガイドレール部１０ｂに沿って装着部４１の前方から電池パック１０をスライドさせる。すると、すでに説明した実施形態と同様に、装着部４１の前端部４１ｂによってストッパ部１２ａの傾斜面１２ｃが押される。これにより、図１５に示すように、係合部材１２がストッパ用バネ１４の付勢力に抗して後軸部１２ｅを支点として揺動し、ストッパ部１２ａが退避方向へと移動する。そして、電池パック１０を更にスライドさせて装着部４１の奥まで取り付けると、ストッパ部１２ａが装着部４１の凹部４１ａに係合し、取り付けが完了する。このとき、ストッパ用バネ１４によってストッパ部１２ａが上方へ付勢されており、ストッパ部１２ａと凹部４１ａとが確実に係合する。
【００５３】
また、この電池パック１０を電動工具４０から取り外すときには、まず、操作部１３ａを押し込み操作して、規制部材１３による規制を解除させる。すなわち、操作部１３ａを奥まで押し込むことで、係合部材１２の後軸部１２ｅの下面を逃げ部１３ｃに臨ませ、後軸部１２ｅが下方へ移動可能な状態とする。そして、操作部１３ａを操作したままで、装着時とは逆方向に電池パック１０をスライドさせる。すると、すでに説明した実施形態と同様に、凹部４１ａの垂直な面によってストッパ部１２ａの垂直面１２ｂが押される。これにより、図１６に示すように、係合部材１２がストッパ用バネ１４の付勢力に抗して前軸部１２ｄを支点として揺動し、ストッパ部１２ａが退避方向へと移動する。このとき、後軸部１２ｅは、逃げ部１３ｃを利用して下方へと移動する。これにより、ストッパ部１２ａと装着部４１の凹部４１ａとの係合を解除して、電池パック１０を電動工具４０から取り外すことができる。
【００５４】
なお、操作部１３ａを操作せずに電池パック１０を電動工具４０から取り外そうとしても、電池パック１０を取り外すことはできない。操作部１３ａが操作されていない状態では、規制部材１３の当接部１３ｂが、係合部材１２の後軸部１２ｅの下方への移動を規制しているため、前軸部１２ｄを支点として係合部材１２の後部を倒れ込ませるような移動ができないようになっている。
このような態様によっても、上記した実施形態と同様の効果を得ることができる。
【００５５】
なお、この変形例では、操作部１３ａを直接的に内方にスライドさせる構成としたが、これに限らない。例えば、操作部１３ａを上下にスライドさせると、中間部材などを介して当接部１３ｂが内方に移動するように構成してもよい。
【符号の説明】
【００５６】
１０  電池パック
１０ａ  端子部
１０ｂ  ガイドレール部
１０ｃ  ストッパ用開口
１０ｄ  操作部用開口
１１  ケース
１１ａ  上ケース
１１ｂ  下ケース
１２  係合部材
１２ａ  ストッパ部
１２ｂ  垂直面
１２ｃ  傾斜面
１２ｄ  前軸部（第２の支点）
１２ｅ  後軸部（第１の支点）
１３  規制部材
１３ａ  操作部
１３ｂ  当接部
１３ｃ  逃げ部
１４  ストッパ用バネ
１５  操作部用バネ
１６  充放電端子
１７  制御基板
１８  バッテリセル
１９  リード板
４０  電動工具
４１  装着部
４１ａ  凹部
４１ｂ  前端部
４１ｃ  レール係合部
【図１】
0006642794.tif 000002
【図２】
0006642794.tif 000003
【図３】
0006642794.tif 000004
【図４】
0006642794.tif 000005
【図５】
0006642794.tif 000006
【図６】
0006642794.tif 000007
【図７】
0006642794.tif 000008
【図８】
0006642794.tif 000009
【図９】
0006642794.tif 000010
【図１０】
0006642794.tif 000011
【図１１】
0006642794.tif 000012
【図１２】
0006642794.tif 000013
【図１３】
0006642794.tif 000014
【図１４】
0006642794.tif 000015
【図１５】
0006642794.tif 000016
【図１６】
0006642794.tif 000017